(57)【要約】      （修正有）【課題】異なる内釜形状であっても、共通して用いることが可能な炊飯器の補助具を提供する。【解決手段】炊飯器内部に保持されて米を炊飯調理する内釜から、炊飯調理済みの米であるご飯を掬う炊飯器の補助具において、補助具は、ご飯を掬う部位となる掬い板部１１と、使用者が握る把持部１２を有し、把持部１２には、炊飯準備の際に内釜内に投入する米の量に対応する水量を計量する水位目盛り取り付け部１２ａが形成され、水位目盛り取り付け部１２ａには、計量する水量の目安となる水位目盛り体１３が取り付けられるように構成すればよい。【選択図】図１
2015173936.tif 000002
【特許請求の範囲】
【請求項１】
炊飯器内部に保持されて米を炊飯調理する内釜から、炊飯調理済みの米であるご飯を掬う炊飯器の補助具において、
前記補助具は、ご飯を掬う部位となる掬い板部と、使用者が握る把持部を有し、
前記把持部には、炊飯準備の際に内釜内に投入する米の量に対応する水量を計量する水位目盛り取り付け部が形成され、
前記水位目盛り取り付け部には、計量する水量の目安となる水位目盛り体が取り付けられることを特徴とする炊飯器の補助具。
【請求項２】
前記水位目盛り取り付け部は、前記把持部の表面に形成された複数の溝部からなり、
前記水目盛り体は、複数の前記溝の任意のいずれかに着脱可能であることを特徴とする請求項１に記載の炊飯器の補助具。
【請求項３】
前記水位目盛り体はリング形状を成し、リング開口の内部に前記把持部を通し、前記溝部に嵌ることにより、前記水位目盛り体は前記水位目盛り取り付け部に取り付けられることを特徴とする請求項２に記載の炊飯器の補助具。
【請求項４】
前記水位目盛り体の断面形状は、リングの外側を向いて突出する外凸部と、リングの内側を向いて突出する第１の内凸部と、内側を向いて突出する第２の内凸部となる形状を成しており、
前記第１の内凸部と前記第２の内凸部のピッチは、複数の前記溝部の隣り合う前記溝部とのピッチとほぼ同じであることを特徴とする請求項３に記載の炊飯器の補助具。
【請求項５】
前記水位目盛り体を複数用いる場合、前記水位目盛り体毎に、特徴を異ならせたものを組みわせて用いることを特徴とする請求項１から請求項４に記載の炊飯器の補助具。
【発明の詳細な説明】
【技術分野】
【０００１】
本発明は、炊飯器に付属する炊飯補助具に関する。
【背景技術】
【０００２】
従来から、炊飯器に付属する炊飯補助具であって、内釜内部から炊き上がったご飯を掬うしゃもじにおいて、ご飯が載る掬い板部に凸状の水位線や点字部を形成した水位表示部を有するものがある。
このようなしゃもじは、米を入れた内釜の内底面にしゃもじを立てて、内鍋に水を入れたときの水位が米の量に見合う適正水量に一致するように、水位表示を利用して水加減を行うことができる（例えば、特許文献１参照）。
【先行技術文献】
【特許文献】
【０００３】
【特許文献１】特開２００１−９５６８９号公報（図７）
【発明の概要】
【発明が解決しようとする課題】
【０００４】
しかしながら、従来の構成では、しゃもじに水位線は、刻印や樹脂による一体成型により構成されており、内釜の形状に対応した専用のものとなっている。
従って、しゃもじの形状は、内釜の形状に合わせて作る必要があり、それぞれの内釜３０の形状に対応した専用の付属品となる。つまり、内釜の形状が異なる製品ごとに、それぞれ専用設計のしゃもじを用意する必要があるという課題がある。
【０００５】
本発明は、上記のような課題を解決する為になされたもので、異なる内釜形状であっても、共通して用いることが可能な炊飯器の補助具を提供することを目的とする。
【課題を解決するための手段】
【０００６】
上記の課題を解決するためには、炊飯器内部に保持されて米を炊飯調理する内釜から、炊飯調理済みの米であるご飯を掬う炊飯器の補助具において、補助具は、ご飯を掬う部位となる掬い板部と、使用者が握る把持部を有し、把持部には、炊飯準備の際に内釜内に投入する米の量に対応する水量を計量する水位目盛り取り付け部が形成され、水位目盛り取り付け部には、計量する水量の目安となる水位目盛り体が取り付けられるように構成すればよい。
【発明の効果】
【０００７】
本発明によれば、それぞれ形状が異なる内釜に対して、共通して用いることが可能な炊飯器の補助具を得ることができる。
【図面の簡単な説明】
【０００８】
【図１】実施の形態１に係るしゃもじの斜視図
【図２】実施の形態１に係る（ａ）しゃもじの正面図、（ｂ）しゃもじの側面図、（ｃ）しゃもじの背面図、（ｄ）しゃもじの底面図
【図３】（ａ）図２のＡ−Ａ断面図、（ｂ）（ａ）の部分拡大図
【図４】実施の形態１に係るしゃもじの水位目盛り取り付け部の拡大図
【図５】実施の形態１に係るしゃもじの脚部の斜視図
【図６】実施の形態１に係るしゃもじの使用形態を示す斜視図
【図７】（ａ）実施の形態２に係る水位目盛り体の斜視図、（ｂ）（ａ）のＣ−Ｃ断面図、（ｃ）（ｂ）の部分拡大図
【図８】（ａ）実施の形態２に係るしゃもじ１０の斜視図、（ｂ）（ａ）のＢ−Ｂ断面、（ｃ）（ｂ）の部分拡大図
【図９】各実施の形態に関連する変形例を示す斜視図
【発明を実施するための形態】
【０００９】
（実施の形態１）
以下、図１〜図６を参照して、実施の形態１を説明する。
図１はしゃもじの斜視図を示す。図２は（ａ）しゃもじの正面図、（ｂ）しゃもじの側面図、（ｃ）しゃもじの背面図、（ｄ）しゃもじの底面図、を示す。図３（ａ）はしゃもじの断面図（図２のＡ−Ａ断面）、（ｂ）はＸ部分拡大図を示す。図４はしゃもじの水位目盛り取り付け部の拡大図を示す。図５はしゃもじの脚部の斜視図を示す。図６はしゃもじの使用形態を示す斜視図を示す。
【００１０】
図１〜図５を参照すると、炊飯器（図示せず）の補助具であるしゃもじ１０は、炊飯器内部に保持された内釜３０から、炊飯調理済みの米であるご飯を掬う部位となる掬い板部１１と、使用者が握る把持部１２と、把持部１２に設けられて炊飯準備時の内釜３０内の水位を測る基準となる水位目盛り体１３と、しゃもじ１０を立てるための自立脚部１４（以下、脚部１４）を有する。
掬い板部１１は、周縁から内側に凹む凹形状とるすことで、ご飯を載せる掬い面１１ａが形成されている。
【００１１】
把持部１２は、掬い板部１１から一体に伸びて形成され、使用者が握ることが可能なように幅と厚さがある棒状の部位である。そして、把持部１２の表面には、凹形状にすることで複数の溝部１２ａが形成されている。
この溝部１２ａは、把持部１２が掬い板部１１から伸びる方向（長手方向）に対して、直交する方向に伸びており、把持部１２の表面に連続的に形成されることで、把持部１２を埋めている。
つまり、凹部をなす複数の溝部１２ａが、隣り合う溝部１２ａが互いに平行に、それぞれ把持部１１の表面を一周しており、しゃもじ１０を自立させた状態で、溝部１２ａは水平となる。
【００１２】
このように、把持部１２に複数の溝部１２ａを設けることで、後述する水位目盛り体１３を取り付ける水位目盛り取り付け部１２ｂが形成される。
尚、隣り合う溝部１２ａのピッチは、使用者が１つ１つの溝を触って感じ取れる程度の間隔となっている。例えば、最低でも１ｍｍ以上の間隔を開けて各溝部１２ａを設けることで、使用者が１つ１つの溝を触って確認しやすくなる。
【００１３】
次に、水位目盛り体１３は、水位目盛り取り付け部１２ｂに取り付けられることで、内釜３０内部において、炊飯する米の量（合数）に応じた水量を計量する際の目安となる。
また、水位目盛り体１３は、リング形状をなしており、シリコンゴムなど弾性を有する材料により構成されている。この水位目盛り体１３のリング開口１３ａの内周長は、伸ばされていない通常の状態において、把持部１２の外周長より小さく構成されている。
尚、水位目盛り体１３は、リング形状に限らず、リングの一部を切り欠いた形状であるＣ字形状のリング１３１であってもよい。
【００１４】
次に、脚部１４は、しゃもじ１０が、掬い板部１１の先端を上方に向けた状態で自立するための部位であり、把持部１２の下側であってしゃもじ１０の下端に形成される。脚部１４は、把持部１２の下側で後方に向けて伸びた形状を成しており、しゃもじ１０を立てる接地位置Ｇと対向する。
脚部１４の下面には、前側と後ろ側にそれぞれ下方向に突出して支持部となる前側支持部１４ａと後側支持部１４ｂが形成され、側面からみて、上方向に凹んだ形状を成している。
つまり、しゃもじ１０は、支持部により支えられることにより、接地位置Ｇとの間に、トンネル状の空間となる隙間ｄが形成される、脚部１４は、アーチ形状となっている。尚、前側支持部１４ａと後側支持部１４ｂは、左右方向に幅がある形状となっている。
【００１５】
この様に形成された脚部１４は、前側支持部１４ａと後側支持部１４ｂで接地位置Ｇと接触してしゃもじ１０を支持し、前側支持部１４ａから後側支持部１４ｂに至る部位は、接地位置Ｇと接触しない形状となっている。
尚、隙間ｄの大きさは、米の幅より大きくなるように脚部１４は構成されている。この隙間ｄの大きさは、例えば、炊飯して食される米の一般的な大きさは、長さ約５ｍｍ、幅約３ｍｍ，厚み約２ｍｍであるので、隙間ｄの最も大きい位置は、２ｍｍより大きく構成するとよい。
【００１６】
また、前側支持部１４ａから後側支持部１４に至る脚部１４の下面は、なめらかな曲面により構成されたアーチ形状となっている。つまり、脚部１４を側面からみると、前側支持部１４ａから後側支持部１４の間に、上方向に凹む凹部１４ｃが形成され、上記の隙間ｄが形成される。
尚、前側支持部１４ａと後側支持部１４ｂの左右幅Ｗは、把持部１２の左右幅と同じかこの幅より大きい。
【００１７】
ここで、前側支持部１４ａから後側支持部１４は、半径３ｍｍ以上の曲面形状に構成されている。また、左右方向を向く凹部１４ｃの縁１４ｅも半径３ｍｍ以上の曲面形状に構成されている。
このように脚部１４は、下面から上面に至る部位の形状が半径３ｍｍ以上の曲面形状に構成されている。
【００１８】
本実施の形態において、脚部１４の下面に形成される支持部１４ａ，１４ｂは、前側と後側に左右方向に伸びる形状で形成されているが、右側及び左側の位置に前後に伸びる支持部を形成してもよい。
この他、脚部１４に複数の支持部を設けることで、接地位置Ｇと脚部１４との間に隙間ｄを形成する形態としてもよい。
【００１９】
このように構成された掬い板部１１と把持部１２と自立脚部１４は、合成樹脂により一体成型で構成されている。
【００２０】
以上のように構成されたしゃもじ１０の水位目盛り取り付け部１２ｂに、次のように水位目盛り体１３が取り付けられる。
図１を参照すると、水位目盛り体１３を水位目盛り取り付け部１２ｂに取り付ける場合、まず、リング開口１３ａを広げ、リング開口１３ａの内部に自立脚部１４を通し、溝部１２ａが形成されている把持部１２に至る。そして、水位目盛り体１３は、任意の溝部１２ａの位置で、加えたリング開口１３ａを広げる力を解除して、縮ませることで、溝部１２ａにはまり取り付けられる。
【００２１】
水位目盛り体１３の伸びていない状態のリング開口１３ａの内周長は、把持部１２の外周長より小さいので、溝部１２ａに取り付けられた状態で、弾性力により通常の大きさにもどる方向に縮む力が働き、把持部１２を締め付けるように、溝部１２ａに入り込んで嵌り、取り付けられる。
【００２２】
ここで、水位目盛り取り付け部１２ｂは、複数の溝部１２ａで構成されていることから、水位目盛り取り付け部１２ｂ内で、水位目盛り体１３を任意の位置に取り付けることができる。
従って、内釜３０の形状に合わせて、水位目盛り体１３の位置を変更することで、炊飯する米の量（合数）に応じた水量を計量する際の目安となる水位目盛り取り付け部１２を構成することが可能である。
【００２３】
ここで、水位目盛り体１３が取り付けられる水位目盛り取り付け部１２ｂの位置となる溝部１２ａは、次のように決められる。尚、米１合を炊く場合の水位目盛りをしゃもじ１０に形成する場合で説明する。
図６を参照すると、使用する内釜３０の内部にしゃもじ１０を立てる。内釜３０のしゃもじ１０を立てる位置は、炊飯準備の際に、しゃもじ１０を用いて水の量を計量する位置である。そして、しゃもじ１０が立てられた内釜３０の内部に、１合の量の米と、この量の米を炊くのに適切な量の水（約１８０ｃｃ）を入れる。
【００２４】
すると、溝部１２ａはしゃもじ１０を自立させた状態において水平なので、水面と平行となり重なる。そして、この状態で水面と重なる溝部１２ａに水位目盛り体１３を取り付ける。これにより、１合の米を炊く場合の水量を示す水位目盛りがしゃもじ１０に形成される。
以上、２合、２．５合、３合・・・の量の米を炊く場合の水位目盛りも、同様な手順により形成することができる。尚、使用者の好みに応じて、水の量を変えて水位目盛り体１３の位置を設定することで、炊き上がりの硬さを調整することができる。
また、水位目盛り体１３は、ある溝部１２ａに取り付けても、再度はずして異なる溝部１２ａに取り付けることができる。
【００２５】
この他の方法として、あらかじめ各溝部１２ａに、数字や記号、または、色を付けるなど、それぞれの溝部１２ａの位置を特定可能に構成する。
そして、内釜３０の種類ごとに、米の炊飯量（炊飯合数）に対応する指定水位に応じて、これらのしるしで、水位目盛り体１３の取り付け位置を指示するようにしてもよい。
この取り付け位置の指示の例として、炊飯器に付属する取扱説明書や、炊飯器本体に記載しておくとよい。
【００２６】
これら記載例として、「Ａ（機種名）専用の内釜３０の場合、炊飯量が１合の水位線は、５番の溝の位置に水位目盛り体を取り付けてください。２合の水位線は、１０番の溝の位置に水位目盛り体を取り付けてください。・・・」、「Ｂ（機種名）専用の内釜３０の場合、炊飯量が１合の水位線は、７番の溝の位置に水位目盛り体を取り付けてください。２合の水位線は、１４番の溝の位置に水位目盛り体を取り付けてください。・・・」、「Ｃ（機種名）専用の内釜３０の場合、赤色の各溝に水位目盛り体を取り付けてください。一番下の水位目盛り体が１合のときの水の量です。２番目の水位目盛り体が２合のときの水の量です。・・・」のように、形状が異なる内釜３０ごとに位置を示す説明を用意する。  
【００２７】
以上のように各内釜３０に対応して形成された水量計測のための補助具であるしゃもじ１０は、次のように用いる。
図６を参照すると、内釜３０は、炊飯器本体内部に保持された状態で、炊飯器本体（図示せず）に設けられた加熱手段（図示せず）で加熱されることで、内部に水と共に保持した米を炊き上げるものである。
【００２８】
この様な内釜３０の内部底面３１に、まず、しゃもじ１０を自立させ、この状態で炊飯したい量のコメを投入する。そして、しゃもじ１０に形成された水位目盛り取り付け部１２ｂに取り付けられた水位目盛り体１３を目安に、投入した米の量を炊飯するために必要な水を内釜３０内部に投入する。
【００２９】
また、視力が弱い人が水量を計る場合は、しゃもじ１０が内釜３０に自立した状態で、炊飯したい量のコメを投入する。そして、投入した米の量を炊飯するために必要な水量の位置を示す水位目盛り体１３を手で触れた状態で、水を内釜３０内部に投入する。
そして、水位目盛り体１３を触れている手の位置が、水に触れたとき、水の投入を中止することで、正確な水量を内釜３０内部に投入することができる。
【００３０】
ここで、しゃもじ１０を内釜３０内部に自立させる前に米を投入した場合や、水を投入後、再度水量を計測する場合であっても、脚部１４で米をよけることで、内釜３０にしゃもじ１０を自立させることができる。
特に、脚部１４の下面は、接地位置Ｇとの間に、トンネル状の空間となる隙間ｄが形成されるので、脚部１４で米をよける際に、脚部１４の下側から、横側に移動させやすく、下面から米を排除しやすい。
また、少量の米が脚部１４の下側に残されても、隙間ｄの大きさがコメ粒より大きく設定されているので、残された米を跨いで、しゃもじ１０を自立させることができる。
【００３１】
また、前側支持部１４ａから後側支持部１４は、曲面形状に構成されている。また、左右方向を向く凹部１４ｃの縁１４ｅも曲面形状に構成されている。このように脚部１４は、下面から上面に至る部位の形状が曲面形状に構成されているので、脚部１４で米をよける際に、米に引っかかりにくい。
特に、上記の曲面の半径を３ｍｍ以上にすることにより、脚部１４で米をよける際に、米に引っかかりにくくなり、より米を排除しやすくなり、米をかき分けやすい。
これにより、内釜３０に米がすでに投入されていても、補助具であるしゃもじ１０と内釜３０内部に立てやすく構成できる。
【００３２】
以上のように、しゃもじ１０において、水位目盛り取り付け部１２ｂを構成する複数の溝部１２ａの任意の位置に水位目盛り体１３を取り付け可能とすることで、形状の異なる内釜３０に対応して、水位目盛りを設定することができる。
従って、様々な形状の内釜３０でも用いることが可能な、炊飯準備時の水量計測を行うことができる補助具であるしゃもじ１０を構成することができる。
【００３３】
また、水位目盛り取り付け部１２ｂに取り付けられた水位目盛り体１３は、溝部１２ａに嵌り込んで固定されると共に、この溝部１２ａより突出する。従って、使用者が触ることで、水位目盛り体１３の位置を把握することができる構成となっている。
これにより、視力が弱い使用者でも、水量を調整することができる補助具を構成することができる。
【００３４】
また、しゃもじ１０に以上のような水位目盛り取り付け部１２ｂを設けることで、炊飯器を販売する際に、別途水量を計る補助具を付属しなくて済む。これにより、コストの低減を行うことができる。
【００３５】
（実施の形態２）
以下、図７〜図８を参照して、実施の形態２を説明する。実施の形態２は、実施の形態１の水位目盛り体１３の変形例であり、実施の形態１と同じ構成については、同じ符号を付し説明を省略する。
図７（ａ）は、実施の形態２に係る水位目盛り体の斜視図を示す。図７（ｂ）は図７（ａ）のＣ−Ｃ断面図を示す。図７（ｃ）は図７（ｂ）のＹ部分拡大図を示す。図８（ａ）は、実施の形態２に係るしゃもじ１０の斜視図を示す。図８（ｂ）は、図７（ａ）のＢ−Ｂ断面を示す。図８（ｃ）は、図８（ｂ）のＺ部分拡大図を示す。
【００３６】
図７（ａ）を参照すると水位目盛り体２３は、平面形状はリング形状をなしており、シリコンゴムなど弾性を有する材料により構成されている。この水位目盛り体２３のリング開口２３ａの内周長は、伸ばされていない通常の状態において、把持部１２の外周長より小さく構成されている。
また、図７（ｂ）（ｃ）を参照すると、水位目盛り体２３の断面形状は、リングの外側を向いて突出する外凸部２３ｂと、リングの内側（リング開口２３ａ側）を向いて突出する第１の内凸部２３ｃと、同じくリングの内側を向いて突出する第２の内凸部２３ｄとなる形状を成している。
【００３７】
第１の内凸部２３ｃと第２の内凸部２３ｄは上下となる位置関係であり、第１の内凸部２３ｃと第２の内凸部２３ｄの間には、２つの凸部に挟まれた谷間となる窪み部２３ｅが形成される。
また、第１の内凸部２３ｃと第２の内凸部２３ｄのピッチＰ１（第１の内凸部２３ｃの頂点２３１ｃと第２の内凸部２３ｄの頂点２３１ｅの距離）は、水位目盛り取り付け部１２ｂを構成する隣り合う溝部１２ａのピッチＰ２（隣り合う溝部１２ａの中心位置の距離）と、ほぼ同じ幅となるように構成されている。
外凸部２３ｂは、上下に重なる第１の内凸部２３ｃと第２の内凸部２３ｄの間の位置から外方向に向かって突出している。つまり、窪み部２３ｅの位置からみて、リング径方向外側（矢印Ｒ）に向けて突出した形状を成している。
【００３８】
以上のように形成された水位目盛り体２３は、次のように水位目盛り取り付け部１２ｂに取り付けられる。
図８を参照すると、水位目盛り体２３は、リング開口２３ａを広げ、リング開口２３ａの内部に脚部１４及び把持部１２を通して、溝部１２ａが形成されている把持部１２に至る。
そして、水位目盛り体２３は、任意の溝部１２ａの位置で、加えたリング開口２３ａを広げる力を解除して、縮ませることで、第１の内凸部２３ｃと第２の内凸部２３ｄが溝部１２ａに入り込んで嵌り、取り付けられる。
【００３９】
ここで、第１の内凸部２３ｃと第２の内凸部２３ｄのピッチＰ１と、水位目盛り取り付け部１２ｂを構成する隣り合う溝部１２ａのピッチＰ２は、おおよそ同じ大きさなので、第１の内凸部２３ｃと第２の内凸部２３ｄは、それぞれ隣り合う２つの溝部１２ａに嵌り込む。
また、水位目盛り体２３の窪み部２３ｅには、隣り合う溝部１２ａを仕切る仕切り壁１２ｃが入り込む。
このような状態で、外凸部２３ｂが外方向を向いた状態で、水位目盛り体２３は水位目盛り取り付け部１２ｂに取り付けられる。
【００４０】
以上のように各部が構成されるので、水位目盛り取り付け部１２ｂは、複数の溝部１２ａで構成されていることから、水位目盛り取り付け部１２ｂ内で、水位目盛り体２３を任意の位置に取り付けることができる。
従って、内釜３０の形状に合わせて、水位目盛り体２３の位置を変更することで、炊飯する米の量（合数）に応じた水量を計量する際の目安となる水位目盛り取り付け部１２を構成することが可能である。
【００４１】
更に、外凸部２３ｂが突出する方向と直交する方向から力が加わっても、第１の内凸部２３ｃと第２の内凸部２３ｄがそれぞれ溝部１２ａに嵌り込んでいるので、水位目盛り体２３が水位目盛り取り付け部１２ｂから外れにくい。
【００４２】
具体的に説明すると、図８（Ｃ）を参照すると、外凸部２３ｂが突出する方向と直交する方向である図中上から下方向に水位目盛り体２３に力Ｆが加わった場合、下側となる第２の内凸部２３ｄを支点に、上側となる第１の内凸部２３ｃが溝部１２ａから外れる方向に、水位目盛り体２３が変形する。
このとき、第２の内凸部２３ｄは、溝部１２ａの内部側に動き、溝部１２ａの内部に留まる。このように、水位目盛り体２３が水位目盛り取り付け部１２ｂから外れにくく構成されている。
【００４３】
（実施の形態３）
以上に用に各実施の形態を説明したが、このような構成に加え、複数の水位位置を示すために水位目盛り取り付け部１２ｂに複数の水位目盛り体３３を取り付ける場合、水位目盛り体２３毎に、特徴を異ならせたものを組みわせて用いるとよい。
例えば、特徴の一つとして、水位目盛り体３３ごとに色を変えて、対応する水位目盛り取り付け部１２ｂに取り付ける。このように構成すれば、対応する色で水位を判断することができる。
尚、また、使用することができる色彩が限られている場合、少なくとも、隣り合う水位目盛り体２３の色が、同じとならないようにすればよい。
【００４４】
また、上記の形態に加え、水位目盛り体３３ごと表面を触った時の触感を変えて、対応する水位目盛り取り付け部１２ｂに取り付ける。このように構成すれば、使用者が水位目盛り体３３を触れることで、水位を判断することができる。
水位目盛り体３３の表面構造の例として、表面を滑らかに形成する、表面に凹凸を形成する等がある。
【００４５】
この他、水位目盛り取り付け部１２ｂの色と、水位目盛り体２３の色を異ならせるとよい。視力が弱い使用者でも、色彩の違いから水位線の位置となる水位目盛りを把握することが容易になる。
【００４６】
次に、本発明に関係する参考例について、図９を参照して説明する。
図９（ａ）は、各実施の形態に関連する変形例を示す断面斜視図であり、内釜３０の内部底面にしゃもじを立てる位置が形成された形態を示している。図９（ｂ）は、（ａ）で示す内釜３０を使用する形態を示す断面斜視図である。
【００４７】
図９（ａ）を参照すると、  内釜３０の内部底面３１には、一対の凹部３２ａを形成して、しゃもじ１０の位置合わせ部３２が形成されている。この位置合わせ部３２は、脚部１４の下面に突出する前側支持部１４ａと後側支持部１４ｂが、嵌り込める凹部となっている。
【００４８】
このように、位置あわせ部３２を設けることで、内釜３０のしゃもじ１０を立てる位置をわかり易くすると共に、毎回の炊飯準備の際に、常に、一定の位置でしゃもじ１０を用いて水量を計量可能に構成することができる。これにより、常に一定で正確に水量を計量することが可能となる。
【００４９】
尚、本変形例では、位置合わせ部３２を凹部とし、しゃもじ側の突出した部分（支持部１４ａ，１５ｂ）をはめ込む構造としたが、位置合わせ部３２を凸形状とし、しゃもじ側にこの凸形状が嵌る凹部を形成してもよい。
【符号の説明】
【００５０】
１０  しゃもじ、１１  掬い板部、１２  把持部、１２ａ  溝部、１２ｂ  水位目盛り取り付け部、１３  水位目盛り体、１３ａ  リング開口、１４  自立脚部、１４ａ  前側支持部、１４ｂ  後側支持部、２３  水位目盛り体、２３ａ  リング開口、２３ｂ  外凸部、２３ｃ  第１の内凸部、２３ｄ  第２の内凸部、３０  内釜、３３  水位目盛り体、３２  位置合わせ部。
【図１】
2015173936.tif 000003
【図２】
2015173936.tif 000004
【図３】
2015173936.tif 000005
【図４】
2015173936.tif 000006
【図５】
2015173936.tif 000007
【図６】
2015173936.tif 000008
【図７】
2015173936.tif 000009
【図８】
2015173936.tif 000010
【図９】
2015173936.tif 000011